(57)【要約】【課題】モバイルプラットフォームサイトへの接続を容易にする検索結果提供システム及び方法を提供する。【解決手段】接続要求によって検索結果提供システムが端末機器に検索提供ウェブ文書を提供し、前記システムが端末機器から検索要求情報を受信し、端末機器の前記システムへの接続経路に基づき、端末機器がモバイルプラットフォームサイト形式である検索提供ウェブ文書に接続されるか否かを前記システムが判断し、及び端末機器が接続された検索提供ウェブ文書がモバイルプラットフォームサイト形式である場合、前記システムが検索要求情報に対応する検索結果ページを端末機器に提供することを含み、検索結果ページは、データベースを参照して検索結果ページに含まれるＰＣプラットフォームサイトがマッピングされたモバイルプラットフォームサイトに代替されることを特徴とする。【選択図】図３
2011248857.tif 000002
【特許請求の範囲】
【請求項１】
接続要求によって検索結果提供システムが端末機器に検索提供ウェブ文書を提供し、
前記システムが前記端末機器から検索要求情報を受信し、
前記端末機器の前記システムへの接続経路に基づき、前記端末機器がモバイルプラットフォームサイト形式である検索提供ウェブ文書に接続されたか否かを前記システムが判断し、及び
前記端末機器が接続した検索提供ウェブ文書がモバイルプラットフォームサイト形式である場合、前記システムが前記検索要求情報に対応する検索結果ページを前記端末機器に提供することを含み、
前記検索結果ページは、データベースを参照して前記検索結果ページに含まれるＰＣプラットフォームサイトがマッピングされたモバイルプラットフォームサイトに代替されることを特徴とするモバイル検索結果提供方法。
【請求項２】
前記端末機器が接続した検索提供ウェブ文書がモバイルプラットフォームサイト形式でない場合、前記システムは、前記端末機器の端末情報に基づき、前記端末機器がモバイル端末機器であるか否かを判断することをさらに含み、前記端末機器がモバイル端末機器である場合、前記検索結果ページに、前記データベースを参照して前記検索結果ページに含まれるＰＣプラットフォームサイトにマッピングされたモバイルプラットフォームサイトのリンク項目が追加されることを特徴とする請求項１に記載のモバイル検索結果提供方法。
【請求項３】
前記端末情報は、前記検索要求情報に含まれることを特徴とする請求項２に記載のモバイル検索結果提供方法。
【請求項４】
前記ＰＣプラットフォームサイト及びこれにマッピングされたモバイルプラットフォームサイトを保存するデータベースを構築することをさらに含むことを特徴とする請求項１に記載のモバイル検索結果提供方法。
【請求項５】
前記データベースを構築することは、
前記データベースに保存された所定のサイトまたはウェブ文書に関連する情報を抽出し、
前記抽出された情報がモバイルサイト候補選定条件を満たすか否かを判断し、
前記モバイルサイト候補選定条件を満たす場合、前記選定条件により導き出されたモバイル予想ＵＲＬをモバイルサイト候補に選定し、
前記モバイルサイト候補に対する最終確認作業結果に基づき、前記モバイルサイト候補に該当するウェブ文書が存在するか否かを判断し、及び
前記ウェブ文書が存在する場合、前記モバイル予想ＵＲＬをモバイルプラットフォームサイトとして前記ＰＣプラットフォームサイトにマッピングして保存することを含むことを特徴とする請求項４に記載のモバイル検索結果提供方法。
【請求項６】
前記候補選定条件は、前記抽出された情報のＵＲＬパターンがモバイルサイト向けＵＲＬパターンとマッチングするか否かを判断する第１の条件、前記抽出された情報がモバイル関連の文句にリンクされたアンカーテキストを含むか否かを判断する第２の条件、及び前記抽出された情報がモバイルの環境を考慮した識別子を含むメタ情報を含むか否かを判断する第３の条件のうち少なくとも一つを含み、
ここで、前記候補選定条件には、前記第１の条件から第３の条件の比較順序を変更及び／または一部省略して優先順位が設定されることを特徴とする請求項５に記載のモバイル検索結果提供方法。
【請求項７】
前記モバイルサイト候補を選定することは、前記第１の条件を満たす場合、前記ＵＲＬパターンの一部がモバイルサイト向けパターン値を有し、或いはモバイルサイト向けパターン値を有するように前記ＵＲＬパターンの一部を代替し、前記モバイル予想ＵＲＬを導き出すことをさらに含むことを特徴とする請求項６に記載のモバイル検索結果提供方法。
【請求項８】
前記モバイルサイト向けパターン値は、「ｍ」、「ｐｄａ」、または「ｍｏｂｉｌｅ」のうちいずれか一つであることを特徴とする請求項７に記載のモバイル検索結果提供方法。
【請求項９】
前記モバイルサイト候補を選定することは、前記第２の条件を満たす場合、前記モバイル関連の文句にリンクされたアンカーテキストのＵＲＬを前記モバイル予想ＵＲＬに導き出すことをさらに含むことを特徴とする請求項６に記載のモバイル検索結果提供方法。
【請求項１０】
前記モバイル関連の文句は、「モバイルウェブ」、「モバイルサイト」、「モバイルアドレス」、または「モバイル」、及び前記抽出された情報のサイトタイトルとの組合せのうちいずれか一つであることを特徴とする請求項９に記載のモバイル検索結果提供方法。
【請求項１１】
前記モバイルサイト候補を選定することは、前記第３の条件を満たす場合、前記抽出された情報のＵＲＬを前記モバイル予想ＵＲＬに抽出することをさらに含むことを特徴とする請求項６に記載のモバイル検索結果提供方法。
【請求項１２】
前記モバイルの環境を考慮した識別子は、ビューポート、ハンドヘルド、及びモバイルのうちいずれか一つ以上であることを特徴とする請求項１１に記載のモバイル検索結果提供方法。
【請求項１３】
前記検索結果ページは、前記データベースを参照して前記検索結果ページに含まれるマッピングされたモバイルプラットフォームサイトの存在しないＰＣプラットフォームサイトに前記ＰＣプラットフォームサイトをモバイル画面に切り替えて提供するためのリンク項目がさらに追加されることを特徴とする請求項２に記載のモバイル検索結果提供方法。
【請求項１４】
前記検索結果ページを提供した後、前記モバイル画面切替提供リンク項目が選択される場合、前記システムは、前記ＰＣプラットフォームサイトをモバイル画面に切り替えて前記端末機器に提供することをさらに含むことを特徴とする請求項１３に記載のモバイル検索結果提供方法。
【請求項１５】
前記ＰＣプラットフォームサイトのモバイル画面切り替えは、
前記ＰＣプラットフォームサイトの横配列を縦配列に切り替える方式、
前記ＰＣプラットフォームサイトのページを前記端末機器の画面サイズに合わせてマルチページに切り替える方式、
前記ＰＣプラットフォームサイトがイメージプラットフォームからなる場合、前記イメージプラットフォームをテキストプラットフォームのページに切り替える方式、及び
端末機器のウェブブラウザでサポートされないリッチインターネットアプリケーションを前記ＰＣプラットフォームサイトから除外する方式のうちいずれか一つ以上を含む方式で行われることを特徴とする請求項１４に記載のモバイル検索結果提供方法。
【請求項１６】
請求項１から請求項１５のうちいずれか一項による方法を実行するためのコンピュータプログラムを記録したコンピュータ読み取り可能な記録媒体。
【請求項１７】
接続要求によって端末機器に検索提供ウェブ文書を提供し、前記端末機器から検索要求情報を受信する受信部、
前記端末機器からの接続経路に基づき、前記端末機器がモバイルプラットフォームサイト形式である検索提供ウェブ文書に接続されているか否かを判断する判断部、及び
前記端末機器が接続した検索提供ウェブ文書がモバイルプラットフォームサイト形式である場合、前記検索要求情報に対応する検索結果ページを前記端末機器に提供する検索結果提供部を含み、
前記検索結果ページは、データベースを参照して前記検索結果ページに含まれるＰＣプラットフォームサイトがマッピングされたモバイルプラットフォームサイトに代替されることを特徴とするモバイル検索結果提供システム。
【請求項１８】
前記判断部は、前記端末機器の端末情報に基づき、前記端末機器がモバイル端末機器か否かをさらに判断し、
前記検索結果提供部は、前記端末機器が接続された検索提供ウェブ文書がモバイルプラットフォームサイト形式でなく、前記端末機器がモバイル端末機器である場合、前記検索要求情報に対応する検索結果ページを提供し、
前記検索結果ページは、前記データベースを参照して前記検索結果ページに含まれるＰＣプラットフォームサイトにマッピングされたモバイルプラットフォームサイトのリンク項目が追加されることを特徴とする請求項１７に記載のモバイル検索結果提供システム。
【請求項１９】
前記端末情報は、前記検索要求情報に含まれることを特徴とする請求項１８に記載のモバイル検索結果提供システム。
【発明の詳細な説明】
【技術分野】
【０００１】
本発明は、検索結果提供システム、方法、及びコンピュータ読み取り可能な記録媒体に関し、特に、ＰＣプラットフォームサイトとモバイルプラットフォームサイトとをマッピングして駆動するデータベースにより、端末機器から受信した検索要求情報に対する検索結果を提供することによって、モバイルプラットフォームサイトへの接続を容易にする検索結果提供システム、方法、及びコンピュータ読み取り可能な記録媒体に関する。
【背景技術】
【０００２】
最初に携帯電話が登場した当時は単に移動中に音声通話をする機能だけが重要視されたが、関連技術の発展により携帯電話にスケジュール管理機能、カメラ機能、ＭＰ３プレーヤー機能、モバイルバンキング（ｍｏｂｉｌｅ  ｂａｎｋｉｎｇ）機能、衛星／地上波ＤＭＢ（Ｄｉｇｉｔａｌ  Ｍｕｌｔｉｍｅｄｉａ  Ｂｒｏａｄｃａｓｔｉｎｇ）放送機能、画像通話機能など、新しい機能が携帯電話の機能に加わり、携帯電話の購買の際、このような機能が購買の主要な基準となっているように、現在、携帯電話などのモバイル端末機器は、単なる音声通話をするための手段を超えて日常における必需品となった。
【０００３】
また、最近、ＷＩＢＲＯ（Ｗｉｒｅｌｅｓｓ  Ｂｒｏａｄｂａｎｄ  Ｉｎｔｅｒｎｅｔ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などの第３世代（３Ｇ）移動通信サービスが商品化され、モバイル端末機器により無線インターネットサービスが利用可能になった。これによって、インターネットサービスユーザーは、インターネットサービスを用いる場合、携帯電話などのモバイル端末機器さえあれば、ＰＣ（Ｐｅｒｓｏｎａｌ  Ｃｏｍｐｕｔｅｒ）が備えられた場所を探す必要が無く、どこでもインターネットサービスを用いることができるようになった。
【０００４】
その結果、モバイル端末機器からの要求に対する検索結果を提供する側では、ＰＣで見るＰＣプラットフォームサイトであるウェブサイトと同一の情報をモバイル端末機器でも見ることができる環境を提供するための関心が高まっており、モバイル端末機器から入力された検索要求に対する検索結果を提供する際、モバイルプラットフォームサイトが存在する場合に、モバイルプラットフォームサイトも共に提供してユーザーがモバイル端末機器により検索結果を容易に見ることができる環境を提供する必要がある。
【先行技術文献】
【特許文献】
【０００５】
【特許文献１】国際公開第２００７／０２７４６９号公報
【特許文献２】韓国公開特許第２００６−０００５６７９号公報
【特許文献３】韓国公開特許第２００６−００６７４３４号公報
【発明の概要】
【発明が解決しようとする課題】
【０００６】
本発明の目的は、ＰＣプラットフォームサイトとモバイルプラットフォームサイトとをマッピングして駆動するデータベースにより、端末機器から受信された検索要求情報に対する検索結果を提供することによって、モバイルプラットフォームサイトへの接続を容易にする検索結果提供システム、方法、及びコンピュータ読み取り可能な記録媒体を提供することである。
【０００７】
また、本発明の他の目的は、ウェブ文書から抽出された（引き出された）ＵＲＬパターン、アンカーテキスト、及びメタ情報のうち少なくとも一つがモバイルサイト候補選定条件を満たす場合、ウェブ文書のモバイル予想ＵＲＬをモバイルサイト候補に選定し、選定されたモバイルサイト候補から最終確認作業を通じてモバイルサイトを最終選定することによって、多数のＰＣプラットフォームサイトに対応するモバイルプラットフォームサイトが存在する場合、候補選定段階及び最終確認作業を通じて、検索し、マッピングし、サイトデータベースに保存することができる検索結果提供システム、方法、及びコンピュータ読み取り可能な記録媒体を提供することである。
【課題を解決するための手段】
【０００８】
本発明の一実施形態に係るモバイル検索結果提供方法は、接続要求によって検索結果提供システムが端末機器に検索提供ウェブ文書を提供し、前記システムが端末機器から検索要求情報を受信し、端末機器の前記システムへの接続経路に基づき、端末機器がモバイルプラットフォームサイト形式である検索提供ウェブ文書に接続されたか否かを前記システムが判断すること、及び端末機器が接続した検索提供ウェブ文書がモバイルプラットフォームサイト形式である場合、前記システムが検索要求情報に対応する検索結果ページを端末機器に提供することを含み、検索結果ページは、データベースを参照して検索結果ページに含まれるＰＣプラットフォームサイトがマッピングされたモバイルプラットフォームサイトに代替されることを特徴とする。
【０００９】
また、本発明の他の実施形態に係るモバイル検索結果提供システムは、接続要求によって端末機器に検索提供ウェブ文書を提供し、端末機器から検索要求情報を受信する受信部、端末機器からの接続経路に基づき、端末機器がモバイルプラットフォームサイト形式である検索提供ウェブ文書に接続するか否かを判断する判断部、及び端末機器が接続した検索提供ウェブ文書がモバイルプラットフォームサイト形式である場合、検索要求情報に対応する検索結果ページを端末機器に提供する検索結果提供部を含み、検索結果ページは、データベースを参照して検索結果ページに含まれるＰＣプラットフォームサイトがマッピングされたモバイルプラットフォームサイトに代替されることを特徴とする。
【発明の効果】
【００１０】
本発明によると、ＰＣプラットフォームサイトとモバイルプラットフォームサイトとをマッピングして駆動するデータベースにより端末機器から受信した検索要求情報に対する検索結果を提供することによって、モバイルプラットフォームサイトへの接続を容易にするという効果を奏する。
【００１１】
また、本発明によると、ウェブ文書から抽出されたＵＲＬパターン、アンカーテキスト、及びメタ情報のうち少なくとも一つがモバイルサイト候補選定条件を満たす場合、ウェブ文書のモバイル予想ＵＲＬをモバイルサイト候補に選定し、選定されたサイト候補から最終確認作業を通じてモバイルサイトを最終選定することによって、多数のＰＣプラットフォームサイトに対応するモバイルプラットフォームサイトを候補選定段階及び最終確認作業を通じて検索し、マッピングし、サイトデータベースに保存するという効果を奏する。
【図面の簡単な説明】
【００１２】
【図１】本発明の一実施形態に係るモバイル検索結果提供システムを説明するための図である。
【図２】図１に示す検索結果提供システムの一実施形態を説明するための図である。
【図３】本発明の一実施形態に係るモバイル検索結果提供システムにおける検索結果提供方法を説明するためのフローチャートである。
【図４】図３に示すサイトデータベース構築関連サブルーチンの第１の実施形態を説明するためのフローチャートである。
【図５】図３に示すサイトデータベース構築関連サブルーチンの第２の実施形態を説明するためのフローチャートである。
【図６】モバイルサイトリンク項目が追加された検索結果ページを示す画面を例示する図である。
【図７】図６に示すモバイルサイトリンク項目が選択されて接続されたモバイルプラットフォームサイトを示す画面を例示する図である。
【図８】端末機器が個人用コンピュータ（ＰＣ）である場合に提供される検索結果ページを示す画面を例示する図である。
【図９】（ａ），（ｂ），及び（ｃ）は、モバイル端末機器の画面に表示されるディレクトリ情報を示す画面を例示する図である。
【図１０】（ａ）及び（ｂ）は、お気に入りの編集を説明するための画面を例示する図である。
【図１１】ＰＣプラットフォームサイトがモバイルプラットフォームサイトに代替されて提供された検索結果ページを示す画面を例示する図である。
【発明を実施するための形態】
【００１３】
以下、図面を参照して本発明の属する技術分野において通常の知識を有する者が容易に実施することができるように本発明の実施形態を詳細に説明する。しかし、本発明は、多様な形態で実現することができるため、ここで説明する実施形態に限定されない。また、図面において本発明を明確に説明するための説明と関係しない部分は省略し、類似の部分に対しては類似の図面符号を使用している。
【００１４】
本発明の実施形態において、一部分が他の部分と「連結」していると記載する場合、これは「直接的に連結」されている場合だけでなく、その間に他の素子を間置して「電気的に連結」されている場合も含む。また、ある部分がある構成要素を「含む」と記載する場合、これは特に異なる記載がない限り、他の構成要素を除くものではなく、他の構成要素をさらに含むものでもよいことを意味する。
【００１５】
本発明の実施形態において、ウェブ文書とは、インターネットエクスプローラなどのウェブブラウザプログラムを用いて閲覧することのできる受動的または能動的な文書形式を含む広義の意味で解釈されるものであり、ウェブ文書の文書形式は、主にＨＴＭＬ（Ｈｙｐｅｒ  Ｔｅｘｔ  Ｍａｒｋｕｐ  Ｌａｎｇｕａｇｅ）が使われるが、必ずしもこれに限定されず、ＸＭＬ（ｅＸｔｅｎｓｉｂｌｅ  Ｍａｒｋｕｐ  Ｌａｎｇｕａｇｅ）、ＳＧＭＬ（Ｓｔａｎｄａｒｄ  Ｇｅｎｅｒａｌｉｚｅｄ  Ｍａｒｋｕｐ  Ｌａｎｇｕａｇｅ）を含み、ウェブブラウザプログラムを用いて閲覧することのできる文書形式であればウェブ文書に該当する。ウェブブラウザプログラムを用いてウェブ文書を閲覧するためにはウェブ文書が存在するアドレスを入力する必要があり、そのアドレス形式としてはＨＴＴＰ（Ｈｙｐｅｒ  Ｔｅｘｔ  Ｔｒａｎｓｆｅｒ  Ｐｒｏｔｏｃｏｌ）が広く使われているが、これに限定されない。
【００１６】
本発明の実施形態において、用語「モバイルプラットフォームサイト」は、機器自体の画面サイズや解像度、及び性能や機能が制限されるモバイル端末機器または他のモバイル端末機器で実行されるウェブブラウザプログラムを用いて見ることができるようにモバイル端末機器に最適化された形式で作成されたウェブ文書を含む広義の意味を有する。ただし、モバイル端末機器に最適化されたモバイルプラットフォームサイトは、モバイル端末機器ではない他の端末機器（例えば、個人用コンピュータ等）を用いて見ることができないと解釈されてはならない。
【００１７】
本発明の実施形態において、用語「ＰＣプラットフォームサイト」は、ウェブ文書のうちモバイルプラットフォームサイトではないその他のウェブ文書を総称する意味で解釈される。ただし、ＰＣプラットフォームサイト及びモバイルプラットフォームサイトが必ずしも両立しないと判断されてはならず、場合によっては、ＰＣプラットフォームサイトであると同時にモバイルプラットフォームサイトである場合も存在し得る。
【００１８】
以下、図面を参照して本発明の実施形態に係る検索結果提供方法を遂行する検索結果提供システムを説明すると、次の通りである。
【００１９】
図１は、本発明の実施形態に係る検索結果提供システムを説明するための図であり、図２は、図１に示す検索結果提供システムを説明するための図である。
【００２０】
図１に示すように、本発明の全体的なシステムは、端末機器１００、通信網２００、検索結果提供システム３００を含むものとして構成される。
【００２１】
端末機器１００は、通信網２００を通じて検索結果提供システム３００に接続して任意の検索要求情報を入力することによって、検索要求情報に対する検索結果の提供を受ける。このような端末機器１００は、検索結果提供システム３００に接続した後に通信することのできるモバイル端末機器１１０、個人用コンピュータ１２０を含む。個人用コンピュータ１２０は、デスクトップコンピュータ、ノートブックコンピュータ、ワークステーションなどを含む。モバイル端末機器１１０は、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、ＷｉＢｒｏ（Ｗｉｒｅｌｅｓｓ  Ｂｒｏａｄｂａｎｄ  Ｉｎｔｅｒｎｅｔ）、スマートフォン端末などのような全ての種類のハンドヘルド（Ｈａｎｄｈｅｌｄ）プラットフォームのモバイル端末を含む。
【００２２】
通信網２００は、検索結果提供システム３００と端末機器１００との間の通信をサポートするネットワークである。通信網２００を構成する通信プラットフォーム技術の構成は、本発明の実現に本質的な影響を及ぼさない。
【００２３】
また、通信網２００は、有線及び無線などの通信様態を区別することなく構成されてもよい。通信網２００は、検索結果提供システム３００と端末機器１００との間での情報交換を可能にするいかなる種類の通信技術に基づいて構成されてもよい。また、情報交換過程の信頼性及び安全性を維持するための公知の多様な技術が通信網２００に適用されてもよいことはもちろんである。
【００２４】
検索結果提供システム３００は、通信網２００を通じて通信接続した端末機器１００の検索要求情報に対する検索結果を提供するとき、端末機器１００が接続した経路及び端末機器１００の種類に応じて動的に変更され得る検索結果ページを当該モバイル端末機器１１０に提供する。具体的には、本発明の一実施形態において、ユーザーが端末機器１００でモバイルプラットフォームサイトに提供される検索結果提供システム３００に接続した後に検索要求情報を送信すると、検索結果提供システム３００は、接続した端末機器１００がモバイル端末機器１１０であるか個人用コンピュータ１２０であるかに関わらず、検索結果ページに含まれるＰＣプラットフォームサイトにマッピングされたモバイルプラットフォームサイトが存在する場合、モバイルプラットフォームサイトを代替して当該サイトを提供してもよい。また、ユーザーが端末機器１００でＰＣプラットフォームサイトに提供される検索結果提供システム３００に接続した後に検索要求情報を送信すると、検索結果提供システム３００は、接続した端末機器１００がモバイル端末機器１１０であるか個人用コンピュータ１２０であるかを判断し、個人用コンピュータ１２０である場合には検索結果ページに含まれるＰＣプラットフォームサイトを別途の代替または追加を行うことなくそのまま提供し、モバイル端末機器１１０である場合にはＰＣプラットフォームサイトにマッピングされたモバイルプラットフォームサイトが存在する場合、ＰＣプラットフォームサイトにモバイルプラットフォームサイトのリンクを追加して提供してもよい。ここで、検索結果ページとは、検索要求情報に対する検索結果として提供されるウェブ文書であり、検索結果として導き出されるものであれば、特定の内容に限定されず、広告サイト、ショッピング情報、ニュース、知識ｉＮ（エヌエイチエヌ  コーポレーションが提供するサービス名）、一般ウェブ文書、ブログ、カフェ、辞書、音楽、地図、専門情報、イメージ、本情報、動画などを含む最も広い意味で解釈される。
【００２５】
検索結果提供システム３００は、モバイル端末機器１１０から検索結果に追加されたモバイルサイトリンク項目または「モバイル画面表示」リンクが選択されると、選択されたモバイルサイトリンク項目に該当するモバイルプラットフォームサイトを提供し、或いは「モバイル画面表示」リンクに該当するＰＣプラットフォームサイトに切り替えて提供する。
【００２６】
図２を参照すると、検索結果提供システム３００は、受信部３１０、判断部３２０、検索結果提供部３３０、候補選定部３４０、決定部３５０、モバイルサイト登録処理部３６０、画面情報切替処理部３７０、サイトデータベース３８０、及びウェブ文書データベース３９０を含む。
【００２７】
受信部３１０は、通信網２００を通じて端末機器１００から検索要求情報を受信する。検索要求情報は、端末機器に提供される多様なユーザーインターフェース（Ｕｓｅｒ  Ｉｎｔｅｒｆａｃｅ；ＵＩ）を通じて入力されてもよく、その一例として、端末機器１００に提供されるウェブ文書、即ち、検索語を入力する入力欄（検索ウィンドウまたはディレクトリなど）を含む検索情報提供ウェブ文書を通じて検索要求情報が入力されてもよい。ここで、検索要求情報が入力されるユーザーインターフェース（ＵＩ）は、モバイルプラットフォームサイトであってもよく、ＰＣプラットフォームサイトの形式であってもよい。検索要求情報には端末機器１００の端末情報が含まれてもよく、本発明は必ずしもこれに限定されないが、検索結果提供システム３００が検索要求情報を受信する前または後に別途、端末機器１００から端末情報が受信されてもよい。ここで、端末情報は、検索要求情報に対する検索結果を提供するとき、モバイルサイトリンク項目及び「モバイル画面表示」リンクを追加するか否かを決定するための基礎データとして使われる。
【００２８】判断部３２０は、検索要求情報を受信したユーザーインターフェース（ＵＩ）がＰＣプラットフォームサイトの形式であるかモバイルプラットフォームサイトの形式であるかを判断する。このような判断は、検索要求情報を入力した端末機器１００が検索結果提供システム３００に接続した接続経路に基づいて行われてもよい。本発明の一実施形態において、端末機器１００がモバイルプラットフォームサイトのユーザーインターフェース（ＵＩ）を提供する経路である（公序良俗違反につき、不掲載）に接続した場合、モバイルプラットフォームサイトの形式であると判断されてもよく、ＰＣプラットフォームサイトのユーザーインターフェース（ＵＩ）を提供する経路である（公序良俗違反につき、不掲載）に接続した場合、ＰＣプラットフォームサイトの形式であると判断されてもよい。また、受信部３１０により受信された端末情報に基づいて検索要求を行った端末機器１００がモバイル端末機器１１０であるか個人用コンピュータ１２０であるかを判断する。本発明の他の実施形態によると、判断部３２０の端末機器１００の種類の判断は、ＰＣプラットフォームサイトの形式で構成されて提供されたユーザーインターフェース（ＵＩ）を通じて検索要求情報が受信されたときに限って行われてもよい。
【００２９】
検索結果提供部３３０は、仮に、前記ユーザーインターフェース（ＵＩ）がモバイルプラットフォームサイトである場合、サイトデータベース３８０を参照して検索要求された検索要求情報、即ち、検索語に対する検索結果ページを提供するとき、検索結果ページの中に提供されるＰＣプラットフォームサイトにマッピングされたモバイルプラットフォームサイトが存在するか否かを判断し、モバイルプラットフォームサイトが存在する場合、モバイルプラットフォームサイトに代替して当該サイトを提供する。仮に、前記ユーザーインターフェース（ＵＩ）がＰＣプラットフォームサイトであり、且つ判断部３２０により検索要求された端末機器１００がモバイル端末機器１１０である場合、サイトデータベース３８０を参照して検索要求された検索要求情報に対する検索結果ページを提供するとき、検索結果ページに含まれるＰＣプラットフォームサイトにマッピングされたモバイルプラットフォームサイトが存在するか否かを判断し、モバイルプラットフォームサイトが存在すると、モバイルサイトリンク項目を追加して提供する。仮に、ＰＣプラットフォームサイトにマッピングされたモバイルプラットフォームサイトが存在しない場合、リンク「モバイル画面表示」リンクを検索結果に追加して提供してもよい。最後に、ユーザーインターフェース（ＵＩ）がＰＣプラットフォームサイトであり、検索要求を行った端末機器１００が個人用コンピュータ１２０である場合、検索要求情報に対する検索結果ページを提供するとき、その中に提供されるＰＣプラットフォームサイトにマッピングされたモバイルプラットフォームサイトが存在するか否かを判断することなくＰＣプラットフォームサイトをそのまま提供してもよい。
【００３０】
サイトデータベース３８０は、ＰＣプラットフォームサイト情報及びこれにマッピングされたモバイルプラットフォームサイト情報を含む。
【００３１】
より具体的には、サイトデータベース３８０は、所定のユーザーインターフェース（ＵＩ）を通じてユーザーが任意のＰＣプラットフォームサイト情報（例えば、サイトアドレス、サイト説明文句等）を登録する場合、これを保存し、ウェブクローラがサイトを訪問して収集したメタ情報、アンカーテキスト情報などを保存する。また、ウェブ文書データベース３９０にはインターネットで収集したウェブ文書を保存し、この二つのデータベース３８０及び３９０からモバイルプラットフォームサイト候補群を抽出してモバイルプラットフォームサイトを決定する。このような一連の作業は、候補選定部３４０、決定部３５０、及びモバイルサイト登録処理部３６０により、まず、モバイルサイト候補選定基準に該当するモバイル予想ＵＲＬをモバイルサイト候補に選定し、次に選定されたモバイルサイト候補の最終確認作業結果によってモバイルプラットフォームサイトか否かを決定して、モバイルプラットフォームサイトが存在することを確認した後、当該モバイルプラットフォームサイトを対応するＰＣプラットフォームサイトにマッピングして保存する。ここで、ユーザーにより既に登録されたモバイルプラットフォームサイトが存在する場合、両方を比較し、相違がある場合、ユーザーにより登録された情報をより正確な情報と見做して更新しないこととし、或いは、その反対に最新情報に更新するように実現されてもよい。
【００３２】
そのうち、モバイルサイト候補選定基準について詳細に説明すると、候補選定部３４０は、サイトデータベース３８０及びウェブ文書データベース３９０に保存された任意のサイトまたはウェブ文書に関連する情報を抽出した後、抽出された情報を予め設定されたモバイルサイト候補選定条件と比較してモバイルサイト候補選定条件を満たすか否かを判断し、モバイルサイト候補選定条件を満たす場合、当該サイトまたはウェブ文書のモバイル予想ＵＲＬをモバイルサイト候補に選定する。ここで、任意のサイトまたはウェブ文書に関連する情報は、モバイルサイト候補選定条件と比較するときに用いられる情報を意味し、サイトデータベース３８０及びウェブ文書データベース３９０のうちいずれか一つ以上に保存されており、その例として、ウェブ文書情報、メタ情報、アンカーテキスト情報、サイトアドレスなどを含むが、必ずしもこれに限定されるものではない。
【００３３】
ここで、モバイルサイト候補選定条件は、本発明の実施形態において多様な条件が用いられてもよく、そのうちの代表的な三つの条件を以下に詳述する。
【００３４】モバイルサイト候補選定条件のうち、第１の条件はモバイルサイト向けＵＲＬパターンとマッチングすることであり、候補選定部３４０は、ＵＲＬが、例えば、（公序良俗違反につき、不掲載）のようにモバイルサイトアドレス（ｍ、ｐｄａ、ｍｏｂｉｌｅ等）から始まるアドレスである場合には、そのままモバイルサイト候補に選定する。また、（公序良俗違反につき、不掲載）のようにｗｗｗから始まるＵＲＬである場合、点で分離される最初の文字であるｗｗｗを、モバイルサイト向けパターン値に代替したモバイル予想ＵＲＬをモバイルサイト候補に選定してもよい。モバイルサイト向けパターン値とは、モバイルサイトとして使用されるＵＲＬパターン値を示し、例えば、ｍであり、ｍｏｂｉｌｅも使用され得るが、これに限定されずモバイルサイトとして使用される可能性のある全てのモバイルサイト向けパターン値が含まれる。実施形態の説明を続けると、ＵＲＬが（公序良俗違反につき、不掲載）である場合、モバイルサイト向けパターン値ｍを用いて代替したモバイル予想ＵＲＬである（公序良俗違反につき、不掲載）をモバイルサイト候補に選定してもよい。
【００３５】次に、モバイルサイト候補選定条件のうち、第２の条件は、モバイルウェブ、モバイルサイト、モバイルアドレス、及びモバイルという単語とサイトタイトルとの組合せなど、モバイルサイトを示す可能性のある特定の単語または文章（以下、これらを総称して「モバイル関連の文句」という。）と、モバイル関連の文句にリンクされ、特定ＵＲＬに移動することができるアンカータグ（Ａｎｃｈｏｒ  ｔａｇ）とを有するもの（以下、これを総称して「アンカーテキスト」という。）を含むことである。候補選定部３４０は、アンカーテキストが、例えば、＜Ａ  ＨＲＥＦ＝“（公序良俗違反につき、不掲載）”＞モバイルネイバー＜／Ａ＞である場合、モバイルまたはモバイルとサイトタイトルとの組合せを示す単語である「モバイルネイバー（登録商標）」が含まれているため、モバイルサイト候補条件のうち第２の条件が満たされてアンカーテキストのうちアンカータグ（ａｎｃｈｏｒ  ｔａｇ）内のＵＲＬ（即ち、（公序良俗違反につき、不掲載））をモバイルサイト候補に選定してもよい。ここで、モバイルサイトを示す可能性のある特定の単語または文章は、基本的に単語「モバイル」がアンカーテキスト内に記載されているものを意味するが、必ずしもこれに限定されず、「スマートフォン」、「携帯電話」、「アイフォン」（登録商標）、「アンドロイド（登録商標）フォン」など、多様な単語または文章をその基準とするものでもよい。
【００３６】
また、モバイルサイト候補選定条件のうち、第３の条件は、メタ情報がモバイル環境を考慮した識別子を含むことであり、候補選定部３４０は、メタ情報が、例えば、ｍｅｔａ  ｎａｍｅ＝“ｖｉｅｗｐｏｒｔ”である場合、モバイルサイト候補条件のうち第３の条件が満たされるため、当該ＵＲＬを抽出し、抽出されたＵＲＬをモバイルサイト候補に選定してもよい。このとき、モバイル環境を考慮した識別子は、モバイルの特性に起因して使われる可能性のある多様な種類のメタタグを含むものでもよく、その例として、モバイル画面を考慮してコンテンツ（ｃｏｎｔｅｎｔ）を定めるビューポート（ｖｉｅｗｐｏｒｔ）があり、その他、ハンドヘルド（ｈａｎｄｈｅｌｄ）及びモバイル（ｍｏｂｉｌｅ）などもその識別子の一つとして使われてもよい。
【００３７】
候補選定部３４０は、前述した多用な種類のモバイルサイト候補選定条件に対して優先順位を設定してもよく、設定された優先順位に対応するように任意のサイトまたはウェブ文書に関連する情報を抽出し、抽出された情報と当該モバイルサイト候補選定条件とを比較してモバイルサイト候補を選定してもよい。例えば、ＵＲＬパターンである第１の条件を第１順位に、アンカーテキストである第２の条件を第２順位に、また、メタ情報である第３の条件を第３順位に設定した場合、候補選定部３４０は、抽出された情報のうちサイトアドレス（ＵＲＬ）が第１の条件を満たすか否かを判断し、仮に、第１の条件を満たす場合、ＵＲＬのうちのｗｗｗをモバイルサイトパターン値のうちの一つ以上と交替したモバイル予想ＵＲＬをモバイルサイト候補に選定し、第１の条件を満たさない場合、次の優先順位である第２の条件を用いて抽出された情報中にモバイルサイトを示す可能性のある特定の単語または文章、及びこれらが特定ＵＲＬに移動することのできるアンカーテキストを有するか否かを判断してモバイルサイト候補選定手順を進行させるものでもよい。このような方式により順に抽出された情報が第１の条件、第２の条件、及び第３の条件を満たすか否かによってモバイルサイト候補を選定してもよく、当該条件の比較順序を変更したり、或いは一部省略して進行するするものでもよいことは当業者にとって自明である。選定されたモバイルサイト候補は、サイトデータベース３８０に一時的に保存されたり、或いは別のサイト候補データベース（図示せず）に保存されてもよい。
【００３８】
詳述したような候補選定部３４０によりモバイルサイト候補が選定されると、決定部３５０は、モバイルサイト候補を対象として最終確認作業を実行してモバイルプラットフォームサイトか否かを決定する。最終確認作業は、多様な方式により実行施されるものでもよく、その一例として、決定部３５０でモバイルサイト候補のＵＲＬに自動的に接続を試みて、仮に、エラーを生じること無くモバイルサイト候補のウェブ文書が提供された場合、当該モバイルサイト候補をモバイルプラットフォームサイトとして決定し、ＨＴＴＰ４０４などを含むエラーメッセージが伝達された場合にはモバイルサイト候補のウェブ文書が存在しないと判断するものでもよく、それによって、モバイルサイト候補を削除してもよい。また、他の実施形態では、このような最終確認作業は、管理者により個別に実行されてもよい。
【００３９】
モバイルサイト登録処理部３６０は、決定部３５０を通じてモバイルサイト候補がモバイルプラットフォームサイトとして決定される場合、別の追加的な情報入力などの手順を要することなく自動的にモバイルプラットフォームサイトとしてサイトデータベース３８０に保存するものでもよく、または対応するＰＣプラットフォームサイトが存在する場合、当該ＰＣプラットフォームサイトにマッピングしてサイトデータベース３８０に保存するものでもよい。または、本発明の他の実施形態によって、モバイルプラットフォームサイトを登録するための一連の手順を提供し、モバイルサイトの情報の入力を受けてサイトデータベース３８０に当該サイトまたはウェブ文書を提供するＰＣプラットフォームサイトにマッピングして保存してもよい。
【００４０】
モバイルプラットフォームサイトの登録前に、モバイルサイト登録処理部３６０は、サイトデータベース３８０を参照して既に登録されたモバイルプラットフォームサイトが存在するか否かの照会要求によって照会結果を提供してもよく、モバイルプラットフォームサイトがサイトデータベース３８０に既に保存されている場合、モバイルプラットフォームサイトの情報を修正することができるようにサイトデータベース３８０で検出されたモバイルプラットフォームサイトの情報を提供してもよい。
【００４１】
サイトデータベース３８０に登録されないモバイルプラットフォームサイトである場合、モバイルサイト登録処理部３６０は、モバイルサイト登録要求を受信し、受信した検索登録要求によってモバイルサイト登録関連ページを提供し、モバイルサイトの情報の入力を受ける。入力されたモバイルサイトの情報は、サイトデータベース３８０に保存され、当該ウェブ文書を表示するＰＣプラットフォームサイトにマッピングしてモバイルプラットフォームサイトが保存されるようにしてもよい。
【００４２】
検索結果提供部３３０は、端末機器１００から検索要求された検索結果リストを提供するとき、判断部３２０により識別された端末機器１００がモバイルプラットフォームサイトに提供される検索結果提供システム３００に接続して検索要求情報を送信し、またはＰＣプラットフォームサイトに提供される検索結果提供システム３００に接続して検索要求情報を送信したか否かを判断する。前述した通り、このような判断は、端末機器１００の検索結果提供システム３００への接続経路により行われてもよい。仮に、モバイルプラットフォームサイトに提供される検索結果提供システム３００に接続した場合には、サイトデータベース３８０を参照して検索結果ページに含まれるＰＣプラットフォームサイトにマッピングされたモバイルプラットフォームサイトが存在する場合、ＰＣプラットフォームサイトをモバイルプラットフォームサイトに代替して提供する。
【００４３】
仮に、ＰＣプラットフォームサイトに提供される検索結果提供システム３００に接続した場合には、判断部３２０により識別された端末機器１００の種類判断に基づき、当該種類がモバイル端末機器１１０である場合にはサイトデータベース３８０を参照して検索結果ページに含まれるＰＣプラットフォームサイトにマッピングされたモバイルプラットフォームサイトが存在する場合、ＰＣプラットフォームサイト及びモバイルプラットフォームサイトに連結することができるモバイルサイトリンク項目を追加して提供し、仮に、検索結果に含まれるＰＣプラットフォームサイトにマッピングされたモバイルプラットフォームサイトが存在しない場合、「モバイル画面表示」などのリンクを提供するものでもよい。前記の検索結果ページ、ＰＣプラットフォームサイト、及びモバイルプラットフォームサイトの定義に記載されているように、検索結果ページに含まれるＰＣプラットフォームサイト、及びこれにマッピングされたモバイルプラットフォームサイトは、サイト及びウェブ文書を含み、検索要求情報に対する検索結果として提供される多様なウェブ文書を総称する意味を有し、検索結果として導き出すことが可能なものであれば、特定の内容に限定されず、その例として、広告サイト、ショッピング情報、ニュース、知識ｉＮ、一般ウェブ文書、ブログ、カフェ、辞書、音楽、地図、専門情報、イメージ、本情報、動画などを含む最も広い意味で解釈されることは当該技術分野における通常の知識を有する者には自明である。本発明の他の実施形態によって、「モバイル画面表示」リンクは、ＰＣプラットフォームサイトにマッピングされたモバイルプラットフォームサイトの存在の有無に関係なく提供されてもよい。提供された検索結果リストから端末機器１００を通じてモバイルプラットフォームサイトが選択され、或いはモバイル端末機器１１０を通じてモバイルサイトリンク項目が選択される場合、選択されたモバイルプラットフォームサイトに直接接続され、「モバイル画面表示」がユーザーにより選択される場合、以下に詳述するように対応するＰＣプラットフォームサイトが画面情報切替処理部３７０によりモバイル端末機器１１０に適するように切り替えられ、切り替えられたウェブ文書をモバイル端末機器１１０に提供する。反面、ＰＣプラットフォームサイトに提供される検索結果提供システム３００に接続した個人用コンピュータ１２０から検索要求された検索結果ページを提供するときは、たとえ、検索結果ページに含まれるＰＣプラットフォームサイトにマッピングされたモバイルプラットフォームサイトが存在する場合であっても、モバイルサイトリンク項目の追加なしでＰＣプラットフォームサイトだけを含む検索結果ページを個人用コンピュータ１２０に提供する。
【００４４】
モバイル端末機器１１０に提供された検索結果を通じて「モバイル画面表示」リンクが選択されると、画面情報切替処理部３７０は、解像度などモバイル画面のサイズ及びモバイル端末機器、またはモバイル端末機器に搭載されたウェブブラウザの制限された性能などを考慮してモバイル端末機器１１０に適するようにＰＣプラットフォームサイトを切り替える。
【００４５】
具体的には、画面情報切替処理部３７０は、モバイル端末機器１１０から対応するモバイルプラットフォームサイトの存在しないウェブ文書に対して提供される「モバイル画面表示」リンクが選択されたと判断したとき、該当するＰＣプラットフォームサイトのＵＲＬを用いて当該ＵＲＬに存在するウェブ文書の内容が受信される。その後、受信されたウェブ文書内容をモバイル端末機器に適するように切り替えた後、切り替えられたウェブ文書を提供する。
【００４６】
画面情報切替処理部３７０がウェブ文書を切り替える具体的な内容は、モバイル端末機器１１０の画面サイズ及びウェブブラウザが実行することのできるプラグイン（ｐｌｕｇ−ｉｎ）などを考慮して行われるものであり、その例として、ウェブ文書の横配列を縦配列に切り替える方式、ウェブ文書のページを制限された画面サイズでブラウジング（ｂｒｏｗｓｉｎｇ）するのに不便でないようにマルチページに切り替える方式、ウェブ文書のローディング速度などを考慮してウェブ文書のイメージプラットフォームページをテキストプラットフォームページに切り替える方式、アドビ社のアドビフラッシュ（Ａｄｏｂｅ  Ｆｌａｓｈ）（登録商標）やマイクロソフト（Ｍｉｃｒｏｓｏｆｔ）（登録商標）社のシルバーライト（ｓｉｌｖｅｒｌｉｇｈｔ）（登録商標）等、モバイル端末機器１１０のウェブブラウザでサポートされないリッチインターネットアプリケーション（Ｒｉｃｈ  Ｉｎｔｅｒｎｅｔ  Ａｐｐｌｉｃａｔｉｏｎ；ＲＩＡ）をウェブ文書から除外する方式などを含むものでもよく、このような方式を用いてモバイル端末機器１１０の画面サイズ及び制限された特性に最適化されるようにＰＣプラットフォームサイトの内容を切り替える。
【００４７】
選択的に、検索結果提供部３３０は、検索提供ウェブ文書を通じてモバイル端末機器１１０に複数のモバイルディレクトリと人気サイトのクリック数とをさらに提供してもよく、モバイル端末機器１１０から複数のモバイルディレクトリ中から選択されたディレクトリのモバイルプラットフォームサイトにお気に入り機能を追加して提供してもよい。このとき、検索結果提供部３３０は、モバイル端末機器１１０からお気に入りが選択されると、選択されたお気に入りのモバイルプラットフォームサイトの情報をお気に入り保存空間に保存することができ、お気に入り保存空間に保存されたモバイルプラットフォームサイトの編集要求がある場合、保存されたお気に入りのリストアップ順序を変更したり、或いは保存されたお気に入りを削除してもよい。
【００４８】
このような構成を有する検索結果提供システムの検索結果提供方法を図３から図５を参照して説明すると、次の通りである。
【００４９】
図３は、本発明の実施形態に係るモバイル検索結果提供システムの検索結果提供方法を説明するためのフローチャートであり、図４は、図３に示すデータベース構築関連サブルーチンの第１の実施形態を説明するためのフローチャートであり、図５は、図３に示すデータベース構築関連サブルーチンの第２の実施形態を説明するためのフローチャートである。
【００５０】
図３を参照すると、本発明の実施形態に係る検索結果提供システム３００は、ＰＣプラットフォームサイトとモバイルプラットフォームサイトとをマッピングしてサイトデータベース３８０を構築するサイトデータベース構築関連サブルーチンを遂行する（Ｓ１００）。
【００５１】
図４を参照してサイトデータベース構築関連サブルーチン（Ｓ１００）の第１の実施形態を詳細に説明すると、段階Ｓ１０１において、検索結果提供システム３００の候補選定部３４０は、サイトデータベース３８０及びウェブ文書データベース３９０に保存された任意のサイトまたはウェブ文書に関連する情報を抽出する。前述した通り、任意のサイトまたはウェブ文書に関連する情報は、モバイルサイト候補選定条件との比較時に用いることができる情報を意味し、サイトデータベース３８０及びウェブ文書データベース３９０のうちいずれか一つ以上に保存されており、その例として、ウェブ文書情報、メタ情報、アンカーテキスト情報、サイトアドレスなどを含むものでもよいが、必ずしもこれに限定されない。
【００５２】
次に、候補選定部３４０は、段階Ｓ１０３で抽出された情報がモバイルサイト候補選定条件を満たすか否かを判断する。ここで、モバイルサイト候補選定条件は、前述した第１の条件、第２の条件、及び第３の条件のうちいずれか一つ以上である。
【００５３】
段階Ｓ１０３の判断の結果、少なくともいずれか一つのモバイルサイト候補選定条件を満たす場合、段階Ｓ１０５で、候補選定部３４０は、サイトまたはウェブ文書のモバイル予想ＵＲＬをモバイルサイト候補に選定する。前述した通り、候補選定部３４０は、モバイルサイト候補選定条件の優先順位を設定してもよく、優先順位が設定された場合、その優先順位通りに判断を遂行するものでもよい。
【００５４】
次に、段階Ｓ１０７において、決定部３５０は、選定されたモバイルサイト候補を対象として最終確認作業を実行する。ここで、最終確認作業は、モバイルサイト候補のＵＲＬに自動的に接続を試み、当該ＵＲＬで提供するウェブ文書が存在するか否かのテストを含むものでもよく、最終確認作業結果は、当該ＵＲＬで提供するウェブ文書が存在する場合、及びＨＴＴＰ４０４エラーなどにより当該ＵＲＬで提供するウェブ文書が存在しない場合に導き出されてもよい。最終確認作業は、他の同等の方式で遂行されてもよい。
【００５５】
決定部３５０は、最終確認作業の結果に基づき、段階Ｓ１０９によって当該ＵＲＬを有するモバイルサイト候補がモバイルプラットフォームサイトであるか否かを判断する。
【００５６】
段階Ｓ１０９の判断結果、モバイルサイト候補がモバイルプラットフォームサイトであると判明した場合、即ち、モバイルサイト候補のＵＲＬで提供されるウェブ文書が存在する場合には、モバイルサイト登録処理部３６０は、当該モバイルサイト候補をＰＣプラットフォームサイトにマッピングしたモバイルプラットフォームサイトとしてサイトデータベースに保存する（Ｓ１１１）。または、独立に、モバイルサイト登録処理部３６０は、データベース構築関連サブルーチンの第２の実施形態を並行して遂行してもよく、これは図５に説明されている。
【００５７】
図５を参照してデータベース構築関連サブルーチンの第２の実施形態を詳細に説明すると、モバイルサイト登録処理部３６０は、段階Ｓ１５１においてモバイルプラットフォームサイトの検索登録要求が受信されるか否かを判断する。
【００５８】
既に登録されたモバイルプラットフォームサイトが存在するか否かの照会要求によって照会結果を提供してもよく、モバイルプラットフォームサイトがサイトデータベース３８０に既に保存されている場合、モバイルプラットフォームサイトの情報を修正できるようにサイトデータベース３８０で検出されたモバイルプラットフォームサイトの情報を提供してもよい。
【００５９】
段階Ｓ１５１の判断結果、モバイルプラットフォームサイトの検索登録要求が受信された場合、モバイルサイト登録処理部３６０は、段階Ｓ１５３でモバイルプラットフォームサイトの検索登録関連ページを端末機器１００に提供する。
【００６０】
次に、モバイルサイト登録処理部３６０は、検索登録関連ページを通じてモバイルプラットフォームサイトの入力を受け（段階Ｓ１５５）、段階Ｓ１５７によって入力を受けたモバイルプラットフォームサイトがサイトデータベース３８０に登録されているか否かを判断する。
【００６１】
段階Ｓ１５７の判断の結果、モバイルプラットフォームサイトがサイトデータベース３８０に既に登録されている場合、段階Ｓ１５６によってモバイルサイト登録処理部３６０は、モバイルプラットフォームサイトの情報に対する修正要求が受信されるか否かを判断し、モバイルプラットフォームサイトの情報に対する修正要求が受信された場合、モバイルサイト登録処理部３６０は、段階Ｓ１５８によってモバイルプラットフォームサイトの情報を修正できるページを提供し、提供されたページを通じてモバイルプラットフォームサイトの修正情報の入力を受けるため、これによって、モバイルプラットフォームサイトの情報を最新のモバイルプラットフォームサイトの情報にアップデートすることができる。
【００６２】
段階Ｓ１５７の判断結果、モバイルプラットフォームサイトがサイトデータベース３８０にまだ登録されていない場合、段階Ｓ１５９によってモバイルサイト登録処理部３６０は、モバイルプラットフォームサイトの登録要求によって提供されたモバイルサイト登録関連ページを通じてモバイルプラットフォームサイトの情報の入力を受け、これをサイトデータベース３８０に保存してもよい（段階Ｓ１６０）。このとき、モバイルプラットフォームサイトは、同一サイトまたはウェブ文書の内容を提供するＰＣプラットフォームサイトにマッピングされてサイトデータベース３８０に保存される。
【００６３】
従って、検索結果提供システムのサイトデータベース３８０にＰＣプラットフォームサイトに対応するモバイルプラットフォームサイトが存在する場合、前記二つのサイトをマッピングして保存した状態にある。
【００６４】
また、図４のサイトデータベース構築関連サブルーチン（Ｓ１００）及び／または図５のサイトデータベース構築関連サブルーチン（Ｓ１５０）は、モバイル端末機器１１０によるユーザーの検索要求と関係なく検索結果提供システム３００で独立に、また、リアルタイムに又は周期的に遂行してサイトデータベースが駆動されたり、或いはアップデートされてもよい。
【００６５】
次に、図３における本発明の実施形態に係るモバイル検索結果提供システムの検索結果提供方法の説明を続けると、検索結果提供システム３００は、段階Ｓ２００で端末機器１００に検索要求情報を受信するためのユーザーインターフェース（ＵＩ）を提供し、ここで、ユーザーインターフェース（ＵＩ）は、ＰＣプラットフォームサイトであってもよく、モバイルプラットフォームサイト形式であってもよく、これは端末機器１００が検索結果提供システム３００に接続するための接続経路により判断されてもよい。ユーザーインターフェース（ＵＩ）の一例として、検索要求情報を入力する入力欄を含む検索提供ウェブ文書がある。
【００６６】
次に、検索結果提供システム３００の受信部３１０は、段階Ｓ３００において通信網２００を通じて端末機器１００から検索要求情報を受信する。検索要求情報には端末機器１００の端末情報が含まれてもよく、または検索要求情報受信の前または後に端末機器１００の端末情報が別途に受信されてもよい。
【００６７】検索要求情報を受信した後、検索結果提供システム３００の検索結果提供部３３０は、判断部３２０により遂行された検索要求情報を受信するために提供したユーザーインターフェースがＰＣプラットフォームサイトの形式であるかモバイルプラットフォームサイトの形式であるかを段階Ｓ３５０で確認する。前述した通り、これは端末機器１００が検索結果提供システム３００に接続するための接続経路によって区別されてもよい。段階Ｓ３５０の確認の結果、端末機器１００がモバイルプラットフォームサイトで構成された検索結果提供システム３００に接続した場合、図１１のＣに該当する部分に示す通り、段階Ｓ３７０によって端末機器１００から受信された検索要求情報に対する検索結果ページを提供するとき、検索結果ページに含まれるＰＣプラットフォームサイトにマッピングされたモバイルプラットフォームサイトが存在する場合、当該ＰＣプラットフォームサイトをモバイルプラットフォームサイトに代替して検索結果ページを提供し、ここで、検索結果ページに含まれるＰＣプラットフォームサイト及びモバイルプラットフォームサイトは、その定義に記載されているようにサイト及びウェブ文書を含む。図１１によると、（公序良俗違反につき、不掲載）及び（公序良俗違反につき、不掲載）の場合、ＰＣプラットフォームサイトにマッピングされたモバイルプラットフォームサイトが存在してモバイルプラットフォームサイトに代替するが、（公序良俗違反につき、不掲載）などその他の場合にはマッピングされたモバイルプラットフォームサイトが存在しないため、そのまま提供されることが分かる。
【００６８】
段階Ｓ３５０の確認の結果、端末機器１００がＰＣプラットフォームサイトで構成された検索結果提供システム３００に接続した場合、判断部により認識された端末情報に基づいて検索要求情報を送信した端末機器１００がモバイル端末機器１１０であるか、または個人用コンピュータ１２０であるかを段階Ｓ４００で確認する。
【００６９】
段階Ｓ４００の確認の結果、検索要求情報を送信した端末機器１００が個人用コンピュータ１２０である場合、検索結果提供システム３００の検索結果提供部３３０は、段階Ｓ４５０によって、図８に示すように、仮に、検索結果提供ページに含まれるＰＣプラットフォームサイトにマッチングされたモバイルプラットフォームサイトがサイトデータベース３８０に登録されているとしても、モバイルプラットフォームサイト関連リンクや情報を提供せず、ＰＣプラットフォームサイトリストだけを含む検索結果ページを提供し、ここで、検索結果ページに含まれるＰＣプラットフォームサイトは、その定義に記載されているようにサイト及びウェブ文書を含む。
【００７０】
段階Ｓ４００の確認の結果、検索要求情報を送信した端末機器１００がモバイル端末機器１１０である場合、検索結果提供部３３０は、段階Ｓ５００でモバイル端末機器１１０から受信された検索要求情報に対する検索結果ページを提供するとき、検索結果ページに含まれるＰＣプラットフォームサイトにマッピングされたモバイルプラットフォームサイトが存在する場合、当該ＰＣプラットフォームサイトと同一線上にまたは当該ＰＣプラットフォームサイトに隣接する位置にモバイルサイトリンク項目を追加した検索結果ページを提供する。仮に、、検索結果ページに含まれるＰＣプラットフォームサイトにマッピングされたモバイルプラットフォームサイトが存在しない場合、「モバイル画面表示」などのリンクを当該ＰＣプラットフォームサイトと同一線上にまたは隣接する位置に追加的に提供してもよい。段階Ｓ５００によってモバイル端末機器１１０に提供された検索結果ページの一実施形態を図６に示す。図６に示すように、ＰＣプラットフォームサイトにマッピングされたモバイルサイトが存在する場合にはモバイルサイトリンク項目Ａが追加されており、存在しない場合にはモバイル切替リンク項目Ｂが追加されていることが分かる。本発明の他の実施形態によると、ＰＣプラットフォームサイトにマッピングされたモバイルサイトの存在の有無に関係なくモバイル切替リンク項目Ｂを追加して提供してもよい。図６、図８、及び図１１に示す各々のケースに該当する検索結果ページの一実施形態には「サイト」項目に該当する画面だけが図示されているが、本発明で使用される用語検索結果ページ、ＰＣプラットフォームサイト及びモバイルプラットフォームサイトの定義に記載されているように、検索結果ページに含まれるＰＣプラットフォームサイト及びこれにマッピングされたモバイルプラットフォームサイトは、サイト及びウェブ文書を含み、検索要求情報に対する検索結果として提供される多様なウェブ文書を総称するため、「サイト」項目以外にもショッピング情報、ニュース、知識ｉＮ、一般ウェブ文書、ブログ、カフェ、辞書、音楽、地図、専門情報、イメージ、本情報、動画などを含むものでもよい。その後、検索結果提供部３３０は、段階Ｓ６００で端末機器１００またはモバイル端末機器１１０から検索結果のうちどのようなサイトまたはサイトリンクが選択されるか否かの情報を受信する。
【００７１】
段階Ｓ６００の受信の結果、端末機器１００から任意のモバイルプラットフォームサイトが選択され、或いはモバイル端末機器１１０から任意のＰＣプラットフォームサイトにマッピングされたモバイルプラットフォームサイトのモバイルサイトリンク項目が選択された場合、検索結果提供システム３００の検索結果提供部３３０は、段階Ｓ７００によって端末機器１００またはモバイル端末機器１１０が選択されたモバイルサイトリンク項目に該当するモバイルプラットフォームサイトに直接接続し、それによって、端末機器１００またはモバイル端末機器１１０に表示されるウェブ文書の一実施形態を図７に示す。仮に、段階Ｓ６００の受信の結果、「モバイル画面表示」のリンクが選択された場合には、検索結果提供システム３００の画面情報切替処理部３７０は、段階Ｓ８００によってモバイル端末機器１１０の画面のサイズ及び特性に適するように、対応するＰＣプラットフォームサイトのウェブ文書に切り替えて提供する。より詳しくは、画面情報切替処理部３７０は、モバイル端末機器１１０から「モバイル画面表示」のリンクが選択されると、ＰＣプラットフォームサイトのＵＲＬを用いて当該ＵＲＬに存在するウェブ文書が受信された後、受信されたウェブ文書をモバイル端末機器１１０の画面及び制限された特性に最適化されるように切り替え、ここで、切替の一実施形態として、ウェブ文書の横配列を縦配列に切り替える方式、ウェブ文書のページを制限された画面サイズ／大きさでブラウジング（ｂｒｏｗｓｉｎｇ）するのに不便でないようにマルチページに切り替える方式、ウェブ文書ローディング速度などを考慮してウェブ文書のイメージプラットフォームページをテキストプラットフォームページに切り替える方式、アドビ社のアドビフラッシュ（Ａｄｏｂｅ  Ｆｌａｓｈ）（登録商標）またはマイクロソフト（Ｍｉｃｒｏｓｏｆｔ）（登録商標）社のシルバーライト（ｓｉｌｖｅｒｌｉｇｈｔ）（登録商標）等、モバイル端末機器１１０のウェブブラウザでサポートされないリッチインターネットアプリケーション（ＲＩＡ）をウェブ文書から除外する方式などを用いてもよい。このように、切り替えられたウェブ文書をモバイル端末機器１１０に提供する。
【００７２】
仮に、、段階Ｓ６００の受信の結果、モバイル端末機器１１０からＰＣプラットフォームサイトに該当するリンク項目が選択された場合には段階Ｓ９００で別途の切替過程なくＰＣプラットフォームサイトをモバイル端末機器１１０に提供する。
【００７３】
次に、モバイルプラットフォームサイトのディレクトリ及びお気に入り機能を説明すると、次の通りである。
【００７４】
図９の（ａ）に示すように、検索提供ウェブ文書は、検索ウィンドウ形式の入力欄以外にも既にサイトデータベース３８０に駆動されたマッチング情報を用いてディレクトリ機能を提供してもよい。モバイルプラットフォームサイトで提供する複数のディレクトリのうち任意のディレクトリＡが選択されると、検索結果提供部３３０は、図９の（ｂ）に示すようなサブディレクトリを提供してもよく、このうち任意のサブディレクトリＢが選択される場合、検索結果提供部３３０は、図９の（ｃ）に示すように、サブディレクトリＢに含まれるモバイルプラットフォームサイトのリストを提供する。提供されるモバイルプラットフォームサイトは、当該サブディレクトリＢに含まれるリストのうちクリック数及びお気に入り数に基づいて選定された順位のうち上位Ｎ個（Ｎは、０より大きい整数）に該当するモバイルプラットフォームサイトのリストだけを提供するものでもよい。このとき、モバイルプラットフォームサイトのリストにはお気に入り機能を各モバイルプラットフォームサイト毎に配置してモバイルプラットフォームサイトを容易にお気に入りに追加させてもよい。
【００７５】
検索結果提供部３３０は、任意のモバイルプラットフォームサイトがお気に入りに追加されると、お気に入り保存スペースに保存し、図１０の（ａ）に示すように、お気に入りリストを提供してもよく、お気に入りの編集項目が選択されると、図１０の（ｂ）に示すように、お気に入りのリストアップ順序を変更したり、或いはお気に入りに追加されたモバイルプラットフォームサイトを削除することができる。このようなお気に入り編集機能を使用して、サービスユーザーは、自分の望みのモバイルプラットフォームサイトだけが保存されたお気に入りを容易に構成することができる。
【００７６】
本発明は、上記に記載された実施形態に限定されず、当業者による多様な変形及び変更が可能であり、これらは特許請求の範囲で定義される本発明の趣旨と範囲に含まれる。
【符号の説明】
【００７７】
１００  端末機器
１１０  モバイル端末機器
１２０  個人用コンピュータ
２００  通信網
３００  検索結果提供システム
３１０  受信部
３２０  判断部
３３０  検索結果提供部
３４０  候補選定部
３５０  決定部
３６０  モバイルサイト登録処理部
３７０  画面情報切替処理部
３８０  サイトデータベース
３９０  ウェブ文書データベース
【図２】
2011248857.tif 000003
【図３】
2011248857.tif 000004
【図４】
2011248857.tif 000005
【図５】
2011248857.tif 000006
【図１】
2011248857.tif 000007
【図６】
2011248857.tif 000008
【図７】
2011248857.tif 000009
【図８】
2011248857.tif 000010
【図９】
2011248857.tif 000011
【図１０】
2011248857.tif 000012
【図１１】
2011248857.tif 000013